(57)【要約】  負荷に電力を一括して供給するために一緒に接続された複数の燃料電池を含む燃料電池接合体を動作させる方法であって、それぞれの燃料電池はアノードとカソードとを含み、該方法は、負荷とは独立して燃料電池を横切る電圧を低下させるために、接合体の燃料電池のうちの少なくとも１つにおけるアノードとカソードの間の電気的接続を選択的に提供することを含む。【選択図】図１
2018502425.tif 000002
【特許請求の範囲】
【請求項１】
負荷に電力を一括して提供するために一緒に接続された複数の燃料電池を含む燃料電池接合体であって、前記接合体は、１つ以上のコンディショニングスイッチを含み、それぞれのコンディショニングスイッチは、前記複数の燃料電池のうちの１つ以上の燃料電池に関連付けられ、前記負荷とは独立して前記燃料電池または燃料電池のグループを横切る電圧を制御するために、その関連付けられる燃料電池のアノードとカソードとの間、または、燃料電池のグループに関連付けられる場合は、前記グループ内の第１の燃料電池のアノードと最後の燃料電池のカソードとの間、の電気的接続を選択的に提供するように構成される、燃料電池接合体。
【請求項２】
前記複数の燃料電池のそれぞれの燃料電池は、前記電気的接続を選択的に提供するための対応するコンディショニングスイッチを含む、請求項１に記載の燃料電池接合体。
【請求項３】
前記またはそれぞれのコンディショニングスイッチは、１つ以上の半導体デバイスを含む、請求項１または請求項２に記載の燃料電池接合体。
【請求項４】
それぞれの燃料電池は、その燃料電池の膜電極接合体に当接するように構成された燃料電池プレートを含み、前記燃料電池プレートは、前記コンディショニングスイッチに接続するための少なくとも１つのコネクタを含む、請求項１〜３のいずれか１項に記載の燃料電池接合体。
【請求項５】
前記燃料電池プレートは、複数のコネクタを備え、前記コンディショニングスイッチは、前記複数のコネクタに接続し、一緒に動作して、それらに関連付けられた燃料電池に対して電気的接続を選択的に提供するように構成された複数のスイッチング素子を対応して備える、請求項４に記載の燃料電池接合体。
【請求項６】
それぞれの燃料電池プレートは、少なくとも２つのコネクタを含み、前記少なくとも２つのコネクタは、前記燃料電池プレートの異なる側に形成される、請求項４または５に記載の燃料電池接合体。
【請求項７】
前記複数の燃料電池は、スタック内に一緒に配置され、前記スタック内の前記複数の燃料電池のうちの１つ以上に反応物を搬送しまたはそこから排気流を受け取るためのマニホールドを含み、前記接合体は、前記燃料電池スタックと前記マニホールドとの間に延在する基板を含み、前記基板は、前記１つ以上のコンディショニングスイッチを含む、請求項１〜６のいずれか１項に記載の燃料電池接合体。
【請求項８】
それぞれの燃料電池は、前記燃料電池の膜電極接合体に当接するように構成された燃料電池プレートを含み、前記基板は、それぞれの燃料電池プレートと係合するように構成される、請求項７に記載の燃料電池接合体。
【請求項９】
前記電気的接続は、前記燃料電池を横切る前記電圧を所定の電圧に制御するように構成された燃料電池電圧制御素子を含む、請求項１〜８のいずれか１項に記載の燃料電池接合体。
【請求項１０】
前記燃料電池電圧制御素子は、前記所定の電圧が前記燃料電池接合体の動作中に構成可能であるように制御可能である、請求項９に記載の燃料電池接合体。
【請求項１１】
複数のコンディショニングスイッチが設けられ、コンディショニングスイッチコントローラが前記コンディショニングスイッチを制御するように構成される、請求項１〜１０のいずれか１項に記載の燃料電池接合体。
【請求項１２】
前記コントローラは、前記コンディショニングスイッチを作動して、前記燃料電池接合体の始動または停止時に前記電気的接続を選択的に提供するように構成される、請求項１１に記載の燃料電池接合体。
【請求項１３】
前記コントローラは、前記コンディショニングスイッチを作動して、前記複数の燃料電池にわたって順次に前記電気的接続を選択的に提供するように構成される、請求項１１に記載の燃料電池接合体。
【請求項１４】
前記コントローラは、前記燃料電池接合体の電圧が所定の閾値を超えたことに応答して、前記コンディショニングスイッチを作動して前記電気的接続を選択的に提供するように構成される、請求項１１に記載の燃料電池接合体。
【請求項１５】
前記コントローラは、燃料電池性能の測定量が閾値を過ぎたことに応答して、前記コンディショニングスイッチを作動して前記電気的接続を選択的に提供するように構成される、請求項１１に記載の燃料電池接合体。
【請求項１６】
燃料電池性能の前記測定量は、
ｉ）前記燃料電池接合体内の、一酸化炭素などの混入物の測定量、または
ｉｉ）前記複数の燃料電池内の任意の１つ（または２つ以上）の燃料電池の前記電圧の測定量、または
ｉｉｉ）冷却剤を有する個別の燃料電池（または２つ以上の燃料電池）のフラッディングの測定量、または
ｉｖ）温度もしくは湿度などの、前記燃料電池接合体に近接する環境条件の測定量、を含む、請求項１５に記載の燃料電池接合体。
【請求項１７】
前記コントローラは、前記コンディショニングスイッチを作動して、前記接合体の前記燃料電池接合体を通る反応物流の増加が開始してから、前記反応物の流量または圧力が所定のレベルに達するまでの間に少なくとも、前記電気的接続を選択的に提供するように構成される、請求項１１に記載の燃料電池接合体。
【請求項１８】
前記コントローラは、前記燃料電池のうちの特定の１つを横切る前記電圧が、前記接合体内の少なくとも１つの他の燃料電池に対して負になったか、または負になりそうであるという指示に応答して、前記コンディショニングスイッチを作動してその特定の燃料電池の前記電気的接続を選択的に提供する、請求項１１に記載の燃料電池接合体。
【請求項１９】
前記コントローラは、前記コンディショニングスイッチの前記作動を開始するために、前記接合体内の前記燃料電池のそれぞれを横切る前記電圧を監視するように構成される、請求項１８に記載の燃料電池接合体。
【請求項２０】
前記コントローラは、前記コンディショニングスイッチを作動して前記少なくとも１つの燃料電池の前記電気的接続を選択的に提供することによって、前記燃料電池接合体内の少なくとも１つの燃料電池の温度の制御を提供するように構成される、請求項１１に記載の燃料電池接合体。
【請求項２１】
前記コントローラは、特定の燃料電池の前記コンディショニングスイッチを選択的に作動してそれらの温度を上昇させることによって、前記燃料電池接合体内の前記燃料電池の前記温度を均衡させるように構成される、請求項２０に記載の燃料電池接合体。
【請求項２２】
前記コントローラは、前記燃料電池接合体の始動時に、前記燃料電池のうちの少なくとも１つの前記コンディショニングスイッチを作動して前記電気的接続を提供し、その燃料電池を流れる電流が閾値に達したことに応答して、その関連付けられるコンディショニングスイッチを作動して前記電気的接続を遮断するように構成される、請求項１１に記載の燃料電池接合体。
【請求項２３】
前記コントローラは、前記燃料電池接合体の始動時に、前記燃料電池接合体内の大部分の前記燃料電池の前記コンディショニングスイッチを作動して前記電気的接続を提供し、特定の燃料電池を流れる電流が閾値に達したことに応答して、その関連付けられるコンディショニングスイッチを作動して電気的接続を遮断するように構成される、請求項１１に記載の燃料電池接合体。
【請求項２４】
負荷に電力を一括して提供するために一緒に接続された複数の燃料電池を含む燃料電池接合体を動作させる方法であって、前記方法は、
前記負荷とは独立して前記燃料電池または燃料電池のグループを横切る前記電圧を制御するために、前記接合体の前記燃料電池のうちの少なくとも１つのアノードとカソードとの間、または燃料電池のグループの場合、前記グループ内の第１の燃料電池のアノードと最後の燃料電池のカソードとの間、の電気的接続を選択的に提供すること、を含む、方法。
【請求項２５】
前記方法は、  前記燃料電池接合体の始動時または停止時に前記電気的接続を選択的に提供する前記ステップを含む、請求項２４に記載の方法。
【請求項２６】
前記方法は、  前記複数の燃料電池にわたって順次に前記電気的接続を選択的に提供する前記ステップを含む、請求項２４に記載の方法。
【請求項２７】
前記方法は、前記燃料電池接合体の電圧が所定の閾値を過ぎたことに応答して、前記電気的接続を選択的に提供する前記ステップを含む、請求項２４に記載の方法。
【請求項２８】
前記方法は、燃料電池性能の測定量が閾値を過ぎたことに応答して、前記コンディショニングスイッチを作動して前記電気的接続を選択的に提供する前記ステップを含む、請求項２４に記載の方法。
【請求項２９】
燃料電池の性能の前記測定量は、
ｉ）前記燃料電池接合体内の、一酸化炭素などの混入物の測定量、または
ｉｉ）前記複数の燃料電池内の任意の１つもしくは２つ以上の燃料電池の前記電圧の測定量、または
ｉｉｉ）冷却剤を有する個別の燃料電池もしくは２つ以上の燃料電池のフラッディングの測定量、または
ｉｖ）温度もしくは湿度などの、前記燃料電池接合体に近接する環境条件の測定量、を含む、請求項２８に記載の方法。
【請求項３０】
前記方法は、
少なくとも前記接合体の前記燃料電池接合体を通る反応物流の増加が開始してから、前記反応物の流量または圧力が所定のレベルに達するまでの間に、前記電気的接続を選択的に提供する前記ステップを含む、請求項２４に記載の方法。
【請求項３１】
前記方法は、前記燃料電池のうちの特定の１つを横切る前記電圧が、前記接合体内の少なくとも１つの他の燃料電池に対して負になったか、または負になりそうであるという指示に応答して、その特定の燃料電池に前記電気的接続を選択的に提供する前記ステップを含む、請求項２４に記載の方法。
【請求項３２】
前記方法は、前記接合体内の前記燃料電池のそれぞれを横切る前記電圧を監視する前記ステップを含む、請求項３１に記載の方法。
【請求項３３】
前記方法は、前記少なくとも１つの燃料電池のための電気的接続の選択的な提供によって、前記燃料電池接合体内の少なくとも１つの燃料電池の温度の前記制御を提供する前記ステップを含む、請求項２４に記載の方法。
【請求項３４】
前記方法は、特定の燃料電池に前記電気的接続を選択的に提供してそれらの温度を上昇させることによって、前記燃料電池接合体内の前記燃料電池の前記温度を均衡させる前記ステップを含む、請求項３３に記載の方法。
【請求項３５】
前記方法は、前記燃料電池接合体の始動時に、前記燃料電池のうちの少なくとも１つに前記電気的接続を提供し、その燃料電池を流れる電流が閾値に達したことに応答して、前記電気的接続を切り離す前記ステップを含む、請求項２４に記載の方法。
【請求項３６】
前記方法は、前記燃料電池接合体の始動時に、前記燃料電池接合体内の大部分の前記燃料電池の前記コンディショニングスイッチを作動して前記電気的接続を提供し、特定の燃料電池を流れる電流が閾値に達したことに応答して、その関連付けられるコンディショニングスイッチを作動して前記電気的接続を遮断する前記ステップを含む、請求項２４に記載の方法。
【請求項３７】
電気的接続を選択的に提供する前記ステップは、３０秒未満の間、前記電気的接続を提供することを含む、請求項２４に記載の方法。
【請求項３８】
請求項２４〜３６のいずれか１項に記載の方法を実施するためのプロセッサ及びメモリを有するコンピューティングデバイス上で実行するための命令を含む、コンピュータプログラムまたはコンピュータプログラム製品。
【発明の詳細な説明】
【技術分野】
【０００１】
本発明は、燃料電池接合体及び燃料電池接合体を動作させる方法に関する。特に、本発明は、接合体に印加される負荷とは独立して、接合体間の電圧を制御することによって接合体を形成する個々の燃料電池を調整するように構成された燃料電池接合体に関する。
【０００２】
従来の電気化学燃料電池は、燃料及び酸化剤を電気エネルギー及び反応生成物に変換する。一般的なタイプの電気化学燃料電池は、アノードとカソードとの間に高分子イオン（プロトン）移動膜とガス拡散構造とを含む、膜電極接合体（ＭＥＡ）を含む。水素などの燃料及び空気からの酸素などの酸化剤は、ＭＥＡの対応する側面を通過して反応生成物として電気エネルギー及び水を生成する。別個のアノード及びカソード流体流路とともに配置されたいくつかのそのような燃料電池を含むスタックを形成することができる。このようなスタックは、典型的には、スタックのそれぞれの端部でエンドプレートによって一緒に保持された多数の個々の燃料電池プレートを含むブロックの形態である。
【０００３】
第１の態様によれば、負荷に電力を一括して提供するために相互に接続された複数の燃料電池を含む、燃料電池接合体を提供し、該接合体は、１つ以上のコンディショニングスイッチを備え、それぞれのコンディショニングスイッチは、複数の燃料電池のうちの１つ以上の燃料電池に関連付けられており、負荷とは独立して燃料電池または燃料電池のグループを横切る電圧を制御するために、その関連付けられた燃料電池のアノードとカソードとの間、または燃料電池のグループに関連付けられた場合、グループ内の第１の燃料電池のアノードと最後の燃料電池のカソードの間の電気的接続を選択的に提供するように構成される。
【０００４】
これは、効率的な動作または燃料電池劣化メカニズムの緩和のために、接合体がプロトン交換膜または触媒層などの燃料電池またはその構成部品を調整できるので有利である。コンディショニングスイッチによって提供される電気的接続は、負荷に電力を提供するための電気的経路よりも低いインピーダンスの電気的経路を生成し得るので、関連付けられる燃料電池または直列に接続された燃料電池のグループの短絡を可能にし得る。したがって、燃料電池は、負荷に電力を提供するために一緒に電気的に接続されてもよく、コンディショニングスイッチの作動が、電池のアノード及び／またはカソードからの追加のもしくは代替の電気的接続を提供してもよい。特に、電気的接続は、関連付けられる燃料電池または燃料電池のグループを横切る電位を低下させ得る。燃料電池接合体の動作中（すなわち、燃料電池接合体に反応物が提供される間）、及び特に始動または停止時（すなわち、燃料電池接合体は反応物を供給される場合もされない場合もあるとき、または反応物の供給が開始または停止されている間）に、個別の燃料電池を横切る電圧を制御することは、以下に説明するように、多くの有利な効果があることが判明している。
【０００５】
必要に応じて、複数の燃料電池のすべての燃料電池は、接合体内のありとあらゆる燃料電池を横切る電圧を負荷とは独立して制御できるように、個別にまたは直列接続されたグループの一部のいずれかでコンディショニングスイッチに関連付けられる。
【０００６】
必要に応じて、複数の燃料電池のそれぞれの燃料電池は、電気的接続を選択的に提供するための対応するコンディショニングスイッチを含む。したがって、それぞれの個別の燃料電池を横切る電圧を制御することができる。接合体内の個別の燃料電池を横切る電圧を制御するか、または短絡することが有利であり得る。コンディショニングスイッチは、個別にかつ順次に作動するように構成することができる。あるいは、２つ以上のコンディショニングスイッチを同時に作動させるように構成してもよい。
【０００７】
燃料電池接合体は、燃料電池スタックを含む。
【０００８】
必要に応じて、コンディショニングスイッチ（単数または複数）は、トランジスタなどの半導体デバイスを含む。あるいは、コンディショニングスイッチ（単数または複数）は、インダクタ結合リレーを含む。
【０００９】
必要に応じて、それぞれの燃料電池は、燃料電池の膜電極接合体に当接するように構成された燃料電池プレートを含み、燃料電池プレートは、コンディショニングスイッチに接続するための少なくとも１つのコネクタを含む。燃料電池スタック内の個別の燃料電池を分離し得る燃料電池プレートは、コンディショニングスイッチへの接続を形成するのに都合のよい本体を提供する。必要に応じて、燃料電池プレートは、コンディショニングスイッチへの接続のためにプレートから突出するタブを含んでもよく、コンディショニングスイッチへの接続部を受け入れるためのキャビティを含んでもよい。コンディショニングスイッチ（単数または複数）は、燃料電池接合体の本体内に、または燃料電池接合体の本体の外部に位置させることができる。
【００１０】
必要に応じて、燃料電池プレートは複数のコネクタを含み、コンディショニングスイッチは対応して、複数のコネクタに接続し、それらの関連付けられた燃料電池の電気的接続を選択的に提供するように一緒に動作するように構成された複数のスイッチング素子を含む。それぞれのコンディショニングスイッチは、複数の半導体デバイスによって提供されてもよい。燃料電池プレート上の複数のコネクタは、有利には、複数の半導体デバイスの接続点を提供することができる。これは、スイッチング素子によって形成される電気的接続によって大きな電流が流れる必要がある場合に有利であり得る。したがって、複数の半導体デバイスを一緒に作動させて、コンディショニングスイッチの機能を提供するように構成することができる。
【００１１】
必要に応じて、それぞれの燃料電池プレートは少なくとも２つのコネクタを含み、少なくとも２つのコネクタは燃料電池プレートの異なる側部に形成される。少なくとも２つのコネクタは、燃料電池プレートの同じ側部、燃料電池プレートの異なる側部または対向する側部に設けられてもよい。大電流が電気接続部を流れる必要がある場合、コネクタを燃料電池プレートの異なる部分に設けることは、コネクタの領域におけるピーク電流密度を低減するのに有利である。他の実施形態では、それぞれの燃料電池プレート上の単一のコネクタが、コンディショニングスイッチへの接続のために設けられる。
【００１２】
必要に応じて、複数の燃料電池は、スタック内の複数の燃料電池セルのそれぞれに反応物を搬送するため、または複数の燃料電池のそれぞれから排気流を受け入れるために燃料電池スタックと一緒に配置されたマニホールドを含むスタックに一緒に配置され、接合体は、燃料電池スタックとマニホールドの間で延在する基板を含み、基板は、１つ以上のコンディショニングスイッチを含む。必要に応じて、それぞれの燃料電池は、燃料電池の膜電極接合体に当接するように構成された燃料電池プレートと、それぞれの燃料電池プレートと係合するように構成された基板を含む。それぞれの燃料電池用の共通の基板を設けてもよい。基板は、複数の燃料電池用のコンディショニングスイッチを共通の基板上に取り付けることができ、それによって担持されたコンディショニングスイッチがスタック内の燃料電池に接続するように配置できるので、有利である。
【００１３】
必要に応じて、電気的接続は、所定の電圧に関連付けられる燃料電池を横切る電圧を制御するように構成された燃料電池電圧制御素子を含む。燃料電池電圧制御素子は、制御可能なインピーダンスを含むことができる。燃料電池電圧制御素子は、その関連付けられる燃料電池のアノードにおける電圧及びカソードにおける電圧を独立して制御するように構成されてもよい。燃料電池電圧制御素子は、燃料濃度／燃料量／アノードフラッディングレベルを制御してアノード電圧を制御するように構成されてもよい。燃料電池電圧制御素子は、酸化剤濃度／酸化剤量／カソードフラッディングを制御してカソード電圧を制御するように構成されてもよい。
【００１４】
必要に応じて、燃料電池電圧制御素子は、所定の電圧が燃料電池接合体の動作中に構成可能であるように制御可能である。これにより、それぞれの燃料電池またはそのアノード／カソードの降圧／昇圧される電圧を積極的に制御することができる。コンディショニングスイッチは、燃料電池電圧制御素子への接続を提供することができる。あるいは、コンディショニングスイッチは、燃料電池電圧制御素子の一部を形成してもよい。いずれの場合も、関連付けられる燃料電池（複数可）のアノードとカソードとの間の電気的接続が形成される。
【００１５】
必要に応じて、複数のコンディショニングスイッチが設けられ、コンディショニングスイッチコントローラが前記コンディショニングスイッチを制御するように構成される。したがって、接合体の燃料電池はそれぞれ、関連付けられるコンディショニングスイッチ及び／または燃料電池電圧制御素子を有することができる。コントローラは、有利には、コンディショニングスイッチを作動させ、及び／または必要に応じて、順次または一緒に、燃料電池電圧制御素子を制御することができる。
【００１６】
必要に応じて、コントローラは、燃料電池接合体の始動または停止時に電気的接続を選択的に提供するためにコンディショニングスイッチを作動させるように構成される。始動時に、コンディショニングスイッチの作動は、接合体を通って移動する反応物圧力波面によって引き起こされる劣化から接合体の燃料電池を保護することができる。停止時に、スイッチの作動は残留反応物の消費を助けることができる。したがって、反応物の提供開始後の時間などの始動期間外では、コンディショニングスイッチの選択的作動は、周波数が低減されるか停止され得る。
【００１７】
必要に応じて、コントローラは、コンディショニングスイッチを作動させて、複数の燃料電池にわたって順次に電気的接続を選択的に提供するように構成される。必要に応じて、接合体内の燃料電池の１０％または５％未満、または１つの燃料電池のみがいつでも電気的接続を提供される。それぞれのコンディショニングスイッチは個別に作動させることができるが、コントローラはいつでも２つ以上を作動させることができることが理解されよう。
【００１８】
必要に応じて、コントローラは、所定の閾値を超える燃料電池接合体の電圧に応答して、コンディショニングスイッチを作動させて電気的接続を選択的に提供するように構成される。開回路電圧に近い燃料電池接合体を作動させることは、劣化を引き起こすことがあるが、コンディショニングスイッチの選択的使用によって軽減され得る。
【００１９】
必要に応じて、コントローラは、関連付けられる閾値を過ぎた燃料電池性能の１つ以上の測定量に応答して、コンディショニングスイッチを作動して電気的接続を選択的に提供するように構成される。
【００２０】
必要に応じて、燃料電池性能の測定量は、
ｉ）燃料電池接合体内の、一酸化炭素などの混入物の測定量、または
ｉｉ）複数の燃料電池内の任意の１つ（または２つ以上）の燃料電池の電圧の測定量、または
ｉｉｉ）冷却剤を有する個別の燃料電池（または２つ以上の燃料電池）のフラッディングの測定量、または
ｉｖ）温度もしくは湿度などの、前記燃料電池接合体に近接する環境条件の測定量、を含む。
【００２１】
必要に応じて、コントローラは、コンディショニングスイッチを作動して、接合体の燃料電池接合体を通る反応物流の増加が開始してから、反応物の流量または圧力が所定のレベルに達するまでの間に少なくとも、電気的接続を選択的に提供するように構成される。反応物流の増加は、燃料電池の始動時に重要な圧力波面を生じさせる可能性がある。圧力波面の有害な影響はコンディショニングスイッチを使用することで軽減され得る。
【００２２】
必要に応じて、コントローラは、燃料電池の特定の１つを横切る電圧が、接合体内の少なくとも１つの他の燃料電池に対して負になったか、または負になりそうであるという指示に応答して、コンディショニングスイッチを作動して特定の燃料電池の電気的接続を選択的に提供する。必要に応じて、コントローラは、接合体内のそれぞれの燃料電池を横切る電圧を監視するように構成される。
【００２３】
必要に応じて、コントローラは、関連付けられるコンディショニングスイッチの作動によって燃料電池接合体内の少なくとも１つの燃料電池の温度を制御して、前記少なくとも１つの燃料電池の電気的接続を選択的に提供するように構成される。これは、燃料電池接合体が、複数の燃料電池を横切る所定の閾値温度を維持するために、サブゼロ条件で動作している場合に有利であり得る。コントローラは、閾値よりも低い周囲温度で燃料電池スタックを動作させるとき、または燃料電池スタックが閾値よりも低い温度にあるとき、燃料電池スタックの中心にある燃料電池に優先して燃料電池スタックの端部で燃料電池のコンディショニングスイッチを動作させるように構成することができる。
【００２４】
必要に応じて、コントローラは、特定の燃料電池のコンディショニングスイッチを選択的に作動してそれらの温度を上昇させることによって、燃料電池接合体内の燃料電池の温度を均衡させるように構成される。
【００２５】
必要に応じて、コントローラは、燃料電池接合体の始動時に、燃料電池のうちの少なくとも１つのコンディショニングスイッチを作動して前記電気的接続を提供し、その燃料電池を流れる電流が閾値に達したことに応答して、関連付けられるコンディショニングスイッチを作動させて、電気的接続を遮断する。必要に応じて、コントローラは、燃料電池接合体の始動時に、少なくとも２つの燃料電池のコンディショニングスイッチを作動して前記電気的接続を提供し、少なくとも２つの燃料電池の特定の燃料電池を流れる電流が閾値に達したことに応答して、その関連付けられるコンディショニングスイッチを作動して電気的接続を遮断する。したがって、それぞれの燃料電池を流れる電流がその閾値に達すると、コンディショニングスイッチを作動して電気的接続を解除することができる。
【００２６】
必要に応じて、コントローラは、燃料電池接合体の始動時に、燃料電池接合体内の大部分の燃料電池のコンディショニングスイッチを作動して前記電気的接続を提供し、特定の燃料電池を通る電流が閾値に達したことに応答して、その関連付けられるコンディショニングスイッチを作動して電気的接続を遮断する。さらなる例では、電気的接続は、接合体内のすべての燃料電池に対して提供されてもよく、それぞれの燃料電池が所定の電圧に達したときに、関連付けられるコンディショニングスイッチを開いて接続を遮断してもよい。
【００２７】
第２の態様によれば、負荷に電力を一括して供給するために一緒に接続された複数の燃料電池を含む燃料電池接合体を動作させる方法であって、
負荷とは独立して燃料電池または燃料電池のグループを横切る電圧を制御するために、接合体の少なくとも１つの燃料電池のアノードとカソードとの間、または燃料電池のグループの場合、グループの第１の燃料電池のアノードと最後の燃料電池のカソードとの間、の電気的接続を選択的に提供することを含む方法を提供する。
【００２８】
必要に応じて、この方法は、燃料電池接合体の始動または停止時に電気的接続を選択的に提供するためにコンディショニングスイッチを作動させるステップを含む。始動期間または停止期間外では、スイッチを、その温度または個別の燃料電池電圧などの、燃料電池接合体の測定された変数に応答して、僅かまたはそれだけに作動することができる。
【００２９】
必要に応じて、方法は、コンディショニングスイッチを作動させて、複数の燃料電池にわたって順次に電気的接続を選択的に提供するステップを含む。必要に応じて、燃料電池の１０％、５％未満、または１つの燃料電池のみがいつでも電気的接続を提供される。
【００３０】
必要に応じて、方法は、所定の閾値を超える燃料電池接合体の電圧に応答して、コンディショニングスイッチを作動させて電気的接続を選択的に提供するステップを含む。閾値は、接合体の開回路電圧に基づく電圧を含んでもよい。
【００３１】
必要に応じて、方法は、関連付けられる閾値を過ぎた燃料電池性能の１つ以上の測定量に応答して、コンディショニングスイッチを作動して電気的接続を選択的に提供するステップを含む。
【００３２】
必要に応じて、燃料電池性能の測定量は、
ｉ）燃料電池接合体内の、一酸化炭素などの混入物の測定量、または
ｉｉ）複数の燃料電池内の任意の１つ（または２つ以上）の燃料電池の電圧の測定量、または
ｉｉｉ）冷却剤を有する個別の燃料電池（または２つ以上の燃料電池）のフラッディングの測定量、または
ｉｖ）温度もしくは湿度などの、前記燃料電池接合体に近接する環境条件の測定量、を含む。
【００３３】
必要に応じて、方法は、コンディショニングスイッチを作動して、接合体の燃料電池接合体を通る反応物流の増加が開始してから、反応物の流量または圧力が所定のレベルに達するまでの間に少なくとも、電気的接続を選択的に提供するステップを含む。所定のレベルは、所与の反応物流量に対する基準動作圧力であることができる。
【００３４】
必要に応じて、方法は、燃料電池の特定の１つを横切る電圧が、接合体内の少なくとも１つの他の燃料電池に対して負になったか、または負になりそうであるという指示に応答して、コンディショニングスイッチを作動して特定の燃料電池の電気的接続を選択的に提供するステップを含む。
【００３５】
必要に応じて、方法は、接合体内の燃料電池のそれぞれを横切る電圧を監視するステップを含む。
【００３６】
必要に応じて、方法は、コンディショニングスイッチを作動して前記少なくとも１つの燃料電池のための電気的接続を選択的に提供することによって、燃料電池接合体内の少なくとも１つの燃料電池の温度の制御を提供するステップを含む。
【００３７】
必要に応じて、方法は、特定の燃料電池のコンディショニングスイッチを選択的に作動してそれらの温度を上昇させることによって、燃料電池接合体内の燃料電池の温度を均衡させるステップを含む。
【００３８】
必要に応じて、この方法は、燃料電池接合体の始動時に、少なくとも２つの燃料電池のコンディショニングスイッチを作動して前記電気的接続を提供し、特定の燃料電池を流れる電流が閾値に達したことに応答して、その関連付けられるコンディショニングスイッチを作動させて電気的接続を遮断するステップを含む。
【００３９】
必要に応じて、方法は、燃料電池接合体の始動時に、燃料電池接合体内の大部分の燃料電池のコンディショニングスイッチを作動して前記電気的接続を提供し、特定の燃料電池を通る電流が閾値に達したことに応答して、その関連付けられるコンディショニングスイッチを作動して電気的接続を遮断するステップを含む。
【００４０】
必要に応じて、電気的接続を選択的に提供するステップは、３０秒未満、１０秒未満、５秒未満、３秒未満、もしくは１秒未満の間、前記電気的接続を連続的に提供することを含む。
【００４１】
さらなる態様によれば、第２の態様の方法を実施するためのプロセッサ及びメモリを有するコンピューティングデバイス上で実行するための命令を含むコンピュータプログラムまたはコンピュータプログラム製品が提供される。
【００４２】
プロセッサ及び／またはメモリは、燃料電池接合体に埋め込まれてもよく、プロセッサは、マイクロプロセッサまたはマイクロコントローラを備えてもよいことが理解されよう。
【図面の簡単な説明】
【００４３】
本発明の実施形態の詳細な説明は、以下の図面を参照して、単なる一例として以下に続く。
【図１】コンディショニングスイッチモジュールを有する第１の例示燃料電池接合体の展開概略図を示す。
【図２】図１の燃料電池接合体のより詳細な概略図を示す。
【図３】燃料電池接合体の動作方法を例示する第１のフローチャートを示す。
【００４４】
図１は、この例では、燃料電池スタックを含む燃料電池接合体１を示す。燃料電池スタックは、負荷（図示せず）に電力を一括して供給するために一緒に接続された複数の燃料電池２を含む。したがって、個別の燃料電池２は、一緒に電気的に接続され、モータを駆動するために使用され得る複合電力出力を提供する。例えば、燃料電池接合体は、車両の動力源を提供するように構成することができる。燃料電池２は、プロトン交換膜、触媒層及びガス拡散層を含む膜電極接合体３を含むことができ、燃料電池プレート４の間に配置されている。この例の燃料電池プレートは、バイポーラプレートであり、一方の側の燃料電池のアノード側と他方の側の隣接する燃料電池のカソード側とを形成する。したがって、それぞれの燃料電池は、アノード５及びカソード６を含む。プレートは、代わりに、ユニポーラプレートを含むことができる。燃料電池プレート３は、関連付けられる膜電極接合体上に導くように反応物流を受け取るためのチャネルを含むか、または画定することができる。チャネルは、プレート３の一端から他端まで伸長してもよい。
【００４５】
図２を参照すると、複数の燃料電池２のうちの１つ以上は、コンディショニングスイッチ７を含む。コンディショニングスイッチ７は、その関連付けられる燃料電池２を短絡するため、関連付けられる燃料電池２のアノード５とカソード６との間の電気的接続１３または短絡経路を選択的に提供するように構成される。したがって、選択された電気的接続１３を介してコンディショニングスイッチは、負荷とは独立して電池を横切る電圧を制御する。電気的接続は、低インピーダンス経路（接合体の一部として負荷に電力を供給する燃料電池に対して低インピーダンス経路など）を選択的に提供することによって、その関連付けられる燃料電池を短絡させる。燃料電池スタック１の動作中のコンディショニングスイッチ７の能動的な制御、特に負荷とは独立してスタック内の個別の燃料電池を横切る電圧の能動的な制御は、燃料電池スタックの性能にとって有利である。この能動的個別燃料電池電圧制御は、高分子電解質膜、すなわち酸性またはアルカリ性の高分子電解質膜ベースの燃料電池またはリン酸燃料電池を使用するすべての燃料電池技術において有利に使用することができる。理論に縛られることを望むものではないが、接合体内の個々の燃料電池の選択的な短絡は、膜及び／または触媒層の電気化学的健全性を改善し得ると考えられる。
【００４６】
この例では、燃料電池スタック１内の燃料電池２のそれぞれは、関連付けられるコンディショニングスイッチを含む。特に、燃料電池スタック１のそれぞれの燃料電池２には、第１及び第２のスイッチング素子８、９を含むコンディショニングスイッチ７が設けられている。第１のスイッチング素子８は、第１の基板１０に設けられ、第２のスイッチング素子９は、異なる第２の基板１１上に設けられている。第１及び第２のスイッチング素子８、９は、異なる位置のそれぞれの燃料電池のアノード及びカソードに接続する。これは、２つ以上のスイッチング素子を設けることにより、スイッチング素子とアノード／カソードとの間に流れる電流密度の分布を可能にするので有利である。
【００４７】
コンディショニングスイッチ７のスイッチング素子は、半導体デバイスとして具体化されてもよく、この例ではトランジスタを含む。したがって、第１の基板１０及び／または第２の基板１１は、その上にスイッチング素子を有するプリント回路基板（ＰＣＢ）またはセラミック基板を含むことができる。
【００４８】
コンディショニングスイッチ、特にスイッチング素子は、コントローラ１２からスイッチング信号を受信するように構成されている。コントローラ１２は、制御信号をトランジスタベースのスイッチング素子のゲートターミナルに通して、アノード５及びカソード６に接続されている２つの他のトランジスタ端子の間の電気的接続を制御することができる。
【００４９】
別の例では、電気的接続１３は、燃料電池電圧制御素子（図示せず）を含む。燃料電池電圧制御素子は、制御可能インピーダンスなどの能動的構成要素を含むことができる。これは、コンディショニングスイッチが電気的接続を形成するとき、燃料電池電圧制御素子が、負荷とは独立して燃料電池を横切る電圧を能動的に制御することを可能にする。燃料電池電圧制御素子は、アノードにおける電圧及び／またはカソードにおける電圧が個別に制御され得るように構成され得る。燃料電池電圧制御素子を、燃料濃度／燃料量／アノードフラッディングレベルを制御して、アノード電圧を制御するように構成することができる。燃料電池電圧制御素子を、酸化剤濃度／酸化剤量／カソードフラッディングを制御してカソード電圧を制御するように構成することができる。燃料または酸化剤レベルとの組み合わせで電気的接続を制御してアノード及び／またはカソードにおける電圧を制御することが有利であり得る。燃料電池電圧制御素子を、コントローラ１２によって制御することができる。
【００５０】
図１に戻ると、燃料電池２のそれぞれに１つ以上の反応物を供給するように構成された入口マニホールド１４が示されている。排気マニホールド１５は、未使用の反応物及び反応副産物を燃料電池から受け取り、燃料電池接合体から排気流を提供するように構成される。したがって、燃料電池プレート４及び／または燃料電池２は、入口マニホールド１４から反応物流を受け取り、反応物（複数可）を燃料電池のそれぞれの活性領域に向け、排気流を排気マニホールド１５に通すように構成される。第１の基板１０は、燃料電池スタック２と入口マニホールド１４との間に取り付けられる。第２の基板は、燃料電池スタック２と出口マニホールド１５との間に取り付けられる。
【００５１】
燃料電池プレート４は、コンディショニングスイッチまたはそのスイッチング素子に接続するための突出タブを設けることができるコネクタを含むことができる。したがって、第１及び第２の基板１０、１１は、それらのコンディショニングスイッチを燃料電池プレート４のコネクタ／タブに接続するために、例えば開口部または接続構造を含むことによって適合させることができる。
【００５２】
図１及び２は、電気的接続の選択的スイッチングがどのように達成され得るかの一例を示しているが、他の構造及び構成が利用可能であることが理解されよう。例えば、半導体デバイスは、燃料電池プレートに一体化することができる。
【００５３】
図３は、ステップ３０において、負荷とは独立して燃料電池を横切る電圧を制御するために、接合体の少なくとも１つの燃料電池のアノードとカソードとの間の電気的接続を選択的に提供することを含む燃料電池を動作させる方法を示している。選択的な電気的接続は、例えば１０ｍｓのコンディショニング期間の後に除去される。この方法は、ステップ３１に示すように、負荷とは独立して燃料電池を横切る電圧を制御するために、接合体の燃料電池の少なくとも１つの他のアノードとカソードとの間に電気的接続を選択的に提供することを含むことができる。
【００５４】
この方法は、ステップ３２に示すように、燃料電池接合体内の複数の燃料電池の電気的接続を順次に提供することを含むことができる。電気的接続の順次供給は、燃料電池接合体の始動または停止時に開始することができる。このステップは、燃料電池のサブセットが電気的接続を提供され、残りの燃料電池は供給されないように、限定された回数だけ実行されてもよい。あるいは、燃料電池のすべてに、所定の回数、またはカソード排気温度などの燃料電池接合体測定値が達成されるまで、関連付けられる電気的接続を順次に提供することができる。この方法は、燃料電池接合体の動作中に周期的に呼び出されてもよい。したがって、燃料電池接合体の動作中に、燃料電池に電圧を制御するための前記電気的接続が提供される第１のモードと、電気的接続が提供されない第２のモードの２つの動作モードが提供されてもよい。燃料電池接合体は、第１のモードと第２のモードとの間で周期的に交互になるように構成されてもよい。任意の１つの燃料電池の電気的接続は、例えば５秒未満、２秒未満、１秒未満、０．５秒未満または０．１秒未満のように瞬間的に提供されてもよい。第１または第２のモードの選択は、１つ以上の燃料電池を横切る温度または電圧などの閾値に対する燃料電池接合体に関連付けられる測定量に基づくことができる。
【００５５】
電気的接続による燃料電池電流の瞬間的な増加及び燃料電池の電位の低下は、燃料電池の動作にいくつかの潜在的利益をもたらす可能性がある。この方法の多くの有利な実装を以下に説明する。以下に説明する方法は、記載された方法を実施するように構成されたスイッチングコントローラ及び／または燃料電池電圧制御素子によって実装されてもよいことが理解されよう。
【００５６】
第１に、選択的な電気的接続を使用して、燃料電池の膜電極接合体を迅速に調整することができる。したがって、選択的な電気的接続は、反応物の流れを受けている間に、燃料電池接合体内の燃料電池に対して１回以上、順番にまたは一緒に供給されてもよい。選択的な電気的接続を用いることにより、それぞれの燃料電池の挙動のバランスにかかわらず、燃料電池の急速な電圧及び負荷循環を安全に誘導することができる。理論に縛られることを望むものではないが、燃料電池の電圧及び負荷を急速に循環させるこのプロセスは、燃料電池製造に使用される溶媒／不純物の酸化及び蒸発を迅速に促進し、一方、燃料電池を調整するのに必要な膜及びアイオノマー構造内の変化を促すと予期される温度及び湿度サイクルを誘発すると考えられる。
【００５７】
さらに、選択的な電気的接続を、動作しない長期間後に燃料電池を迅速に調整するために提供することができる。したがって、接合体を、燃料電池接合体の最後の動作からの時間を決定し、未使用の時間閾値を超える場合には、接合体の複数の燃料電池のうちの１つ以上の選択的な電気的接続のために提供するように構成してもよい。
【００５８】
燃料電池電圧制御素子を、選択的な電気的接続によって燃料電池接合体の電流、カソード／アノード電位、温度及び水和を安全に操作するように構成することができる。これらのパラメータは、燃料電池接合体を作動するように制御することができる。したがって、負荷とは独立して燃料電池を横切る電圧を制御するために、接合体の少なくとも１つの燃料電池のうちのアノードとカソードとの間の電気的接続を選択的に提供することを含む燃料電池接合体を作動する方法を提供する。燃料電池接合体の作動は、それが組み立てられた後の反応物流により初めて燃料電池接合体を動作させることを含むことができる。
【００５９】
この方法は、燃料電池膜及び／または触媒層の所定の水和レベルを維持するのに有利であることが分かっている。この方法の使用は、開回路電圧（ＯＣＶ）またはそれに近い電圧において長期間の膜脱水を避けることができる。特定の状況において、高インピーダンス負荷または開回路状態で燃料電池接合体を動作させると、それぞれの燃料電池の活性領域を形成し、電気化学的燃料電池反応が生じる膜及び触媒が脱水されることがある。これは、燃料電池接合体の動作寿命の短縮または性能の低下を引き起こす可能性がある。理論に縛られることを望むものではないが、電気的接続を提供することにより、燃料電池の電気化学的反応がより速い速度で進行することが可能になり、反応副産物（水素酸素燃料電池内の）としての水を生成して膜を水和する可能性がある。
【００６０】
したがって、この方法は、負荷とは独立して燃料電池を横切る電圧を制御するために、接合体の少なくとも１つの燃料電池のアノードとカソードとの間の電気的接続を選択的に提供することを含む、燃料電池接合体を水和する方法を含むことができる。この方法は、燃料電池膜及び／または触媒を水和するために周期的に、または連続的に行われ、低湿度条件に関連付けられる劣化メカニズムを回避することによって動作寿命を延ばすことができる。この方法は、接合体の燃料電池または接合体の燃料電池のサブセットを横切る電圧が、ＯＣＶ値付近などの所定の電圧閾値を上回っている場合に実行されてもよい。したがって、上述の第１及び第２の動作モードは、上述の燃料電池接合体電圧または燃料電池水和の別の測定量に基づいて決定されてもよい。
【００６１】
選択的な電気的接続を使用する燃料電池接合体の水和は、燃料電池接合体に導入される加湿流体の流れなしで動作する燃料電池接合体（すなわち、電気化学反応副産物によって燃料電池接合体内に加湿が生成される接合体）に特に有利である。
【００６２】
本方法はブロッキング種、例えば、燃料電池酸化剤（すなわち、空気汚染物質）及び／または表面酸化物に含まれる燃料電池触媒中毒種の除去に有利であることが判明している。特に、燃料電池電圧制御素子の動作を用いて、それぞれの燃料電池のカソードでの電位を操作して、カソード被毒の影響を緩和することができる。
【００６３】
特に、燃料電池の電圧制御素子は、燃料電池のカソード電位がアノード電位に向かって低下し、０．２Ｖ未満の低い燃料電池電位が、酸化供給及び／または電力需要に関係なく達成され得るように、燃料電池酸化剤の欠乏（すなわち、カソード欠乏）を誘発するように使用され得る。水素−酸素ＰＥＭ燃料電池接合体では、燃料電池のカソード電位は、名目上０．６ＶＲＨＥ（可逆的水素電極）を上回るが、０．５、０．４、０．３、０．２または０．１ＶＲＨＥよりも低くすることができる。
【００６４】
したがって、負荷とは独立して燃料電池を横切る電圧を制御するために、接合体の少なくとも１つの燃料電池のアノードとカソードとの間の電気的接続を選択的に提供することを含む燃料電池接合体における燃料電池のカソード被毒の影響を緩和する方法を提供する。カソード電極における電圧は、アノード電位の制御に優先して低減されてもよい。
上述したように、これは、例えば、カソード制限電流（すなわち、利用可能な酸化剤によって制限される）がアノード制限電流（すなわち、利用可能な燃料によって制限される）よりも大幅に低い値に減少するように酸化剤濃度を減少させることによって、酸化剤供給またはカソード動作条件の流体操作により達成され得る。選択的電気的接続を係合させて「酸化剤枯渇状態」を誘発すると、カソード電気化学電位は、アノード電気化学電位に向かって減少するように誘導することができる。
【００６５】
本方法は、プロトン交換膜水素−酸素燃料電池接合体において、溶解した白金Ｐｔ２＋触媒材料の再堆積を促進する点で有利であることが判明している。特に、カソードが実質的に０．４Ｖより低くなるようにカソード電位を周期的に操作することによりそれぞれの燃料電池の触媒層中の活性触媒粒子上に溶解したＰｔ２＋イオンを再沈殿させ、燃料電池の耐久性を向上させることができる。理論に縛られることなく、通常の燃料電池動作中に、水素の存在下で膜電解質中に白金粒子として再沈殿するＰｔ２＋イオン中間体を形成する燃料電池膜電解質に白金粒子の表面原子が溶解するとも考えられる。しかしながら、これらの粒子は、膜に隣接する触媒層ではなく膜に再沈殿するため、燃料電池反応を触媒するために不活性である。
【００６６】
したがって、この方法は、負荷とは独立して燃料電池を横切る電圧を制御するために、接合体の少なくとも１つの燃料電池のアノードとカソードとの間の電気的接続を選択的に提供することを含む、燃料電池接合体を形成する複数の燃料電池の少なくとも１つの触媒層内の触媒粒子のレベルを制御する方法を含む。カソード電極における電圧は、アノード電位の制御に優先して低減されてもよい。
【００６７】
この方法は、所定の燃料電池接合体（または燃料電池スタック）の温度を維持するのに有利であることが分かっている。この方法は、例えば、燃料電池の負荷需要に関係なく、サブゼロの周囲環境での動作中にスタック温度を維持するために低電力需要期間（閾値に対する電力需要）に応じて係合させることができる。
【００６８】
したがって、本方法は、複数の燃料電池を含む燃料電池接合体内の燃料電池の温度を制御する方法を含むことができ、この方法は、負荷とは独立して燃料電池を横切る電圧を制御することために、少なくとも１つの燃料電池のアノードとカソードとの間の電気的接続を選択的に提供することを含む。したがって、電気的接続により順次に燃料電池を加熱するように電流を流すことが可能になる。この方法は、所定の燃料電池温度を維持するように構成することができる。燃料電池接合体の動作中、２つの動作モードが提供されてもよく、最初に、燃料電池がその温度を上昇させるために前記電気的接続（順番など）を選択的に備え、第２のモードは、電気的接続（複数可）が提供されていない場合であり、もし燃料電池接合体の温度が所定の温度閾値を下回るとき（または、電力出力が「低電力」出力閾値を下回るとき）、及び動作される第２のモードの温度が所定の温度閾値を上回るとき、第１のモードが動作される。所定の温度閾値は４℃（もしくは０、１、２、３、５、６℃）を含むことができる。
【００６９】
この方法は、燃料中の混入物（例えば、一酸化炭素、ＣＯ）などのアノード流体流中に存在する燃料電池触媒被毒混入物の酸化及び／または脱着を容易にするアノード電位の操作に有利であることが判明している。
【００７０】
燃料電池電圧制御素子は、ＣＯなどの燃料混入物が酸化／脱着され燃料電池性能を回復する程度にアノード電位を過電位まで増加させることによって、燃料欠乏状態を誘発するように構成することができる。
【００７１】
したがって、本方法は、負荷とは独立して燃料電池の両端の電圧を制御するために、少なくとも１つの燃料電池のアノードとカソードとの間の電気的接続を選択的に提供することを含む燃料電池接合体を形成する複数の燃料電池の燃料電池のアノードから混入物を除去する方法を含む。特に、この方法は、カソード電位に優先してアノード電位を制御するステップを含むことができる。これは、例えばアノード制限電流（すなわち、利用可能な燃料によって制限される）がカソード制限電流（すなわち、利用可能な酸化剤に制限される）の値よりも大幅に低い値に減少するように燃料濃度を低減することによって、燃料供給またはアノード動作条件の流体操作によって達成され得る。選択的な電気的接続を係合して「燃料欠乏状態」を誘発すると、アノード電気化学電位を、カソード電気化学電位に向かって増加するように誘導することができる。
【００７２】
さらなる例では、コントローラは、コンディショニングスイッチを作動して、接合体の燃料電池を通る反応物流の増加が開始してから、反応物の流量または圧力が所定のレベルに達するまでの間に少なくとも、電気的接続を選択的に提供するように構成される。反応物流が増加すると、増加した圧力の反応物の「フロント」を、燃料電池接合体内で移動させることがある。この圧力フロントは、燃料電池接合体をオフ状態から始動するときに重要であり得る。燃料電池接合体を停止するときに、減圧された圧力フロントが燃料電池接合体を通って移動してもよく、コントローラは、このような状況でコンディショニングスイッチを作動するように構成されてもよい。
【００７３】
この方法を、アノード／カソードを通って流れる水素／空気フロントの存在中に電流を有利に短絡するように実装することができ、逆電流減衰メカニズム及び／または急速な燃料電池の停止の低減の利点を提供し得る。
【００７４】
逆電流減衰メカニズムは、燃料電池接合体内の燃料電池が、接合体内の他の燃料電池によって生成された電流によって駆動され、通常の動作に比べて逆電流が生じる。これは、関連する燃料電池の性能を低下させる可能性がある。電気的接続を提供すること及び／または電気的接続を介して燃料電池の電圧を制御することにより、反応物圧力フロントの間に低い電池電圧（例えば、水素酸素ポリマー膜ベースの燃料電池の場合には０．２Ｖ未満）を達成することができる。
【００７５】
圧力フロントが発生する完全な始動／停止中に通常生じる劣化は、ほぼ完全に排除され得ることが判明している。これにより、特に自動車用途などの多くの完全な燃料電池始動／停止事象を必要とする用途において、燃料電池の耐久性を劇的に改善する。
【００７６】
したがって、この方法は、燃料電池接合体を通る反応物（燃料など）の圧力及び／または流量の増加に応答して、接合体内の１つ以上の燃料電池の前記コンディショニングスイッチを作動するステップを含むことができる。コンディショニングスイッチは、すべて一緒に、またはグループで順次に、または個別にかつ順次に作動することができる。
【００７７】
水素燃料化燃料電池接合体の停止時に、残留水素が燃料電池接合体内に存在する可能性がある。水素濃度を所定のレベルまで低下させることが重要である。この方法は、接合体の停止時に燃料電池接合体内の残留水素を消費するために使用されてもよい。コンディショニングスイッチを作動することによって、水素が急速に消費される可能性がある。
【００７８】
したがって、この方法は、燃料電池接合体の停止時に、接合体内の１つ以上の燃料電池の前記コンディショニングスイッチを作動するステップを含むことができる。コンディショニングスイッチは、すべて一緒に、またはグループで順次に、または個別にかつ順次に作動することができる。このステップを、接合体を通じて反応物を駆動する圧縮機が停止されるときのように、燃料電池接合体を通る燃料及び／または酸化剤の流れの停止に応答して実行してもよい。
【００７９】
ある状況では、コンディショニングスイッチの作動時に、アノードコンパートメント／燃料供給接続部に存在する残留水素が急速に消費され、燃料電池スタックが完全に放電され、わずか数秒後安全な休止状態に留まる。同様に、酸素は、カソードコンパートメントを排気するためにカソードコンパートメントで消費されてもよい。
【００８０】
他の実施形態（図示せず）では、単一のコンディショニングスイッチ（１つ以上のスイッチング素子で形成することができる）が、燃料電池接合体内の直列に接続された燃料電池のグループを横切る電圧の制御を提供することができる。したがって、コンディショニングスイッチは、直列に接続された燃料電池グループと回路を形成する電気的接続を提供するように作用することができる。したがって、単一の燃料電池のための電気的接続を提供するのではなく、燃料電池のグループに対して電気的接続が提供される。
【００８１】
燃料電池接合体は、燃料電池システム内に複数の燃料電池接合体の１つを形成することができる。コンディショニングスイッチの作動は、順番に燃料電池接合体のそれぞれを横切って行われてもよい。したがって、第１の燃料電池接合体のコンディショニングスイッチを作動させ、その後に第２の燃料電池接合体のコンディショニングスイッチを作動させることができる。これは、コンディショニングスイッチの作動を受けていない燃料電池接合体が通常の動作モードで動作することができるので、有利であり得る。
【図１】
2018502425.tif 000003
【図２】
2018502425.tif 000004
【図３】
2018502425.tif 000005
【国際調査報告】
2018502425.tif 000006
2018502425.tif 000007
2018502425.tif 000008
2018502425.tif 000009